(57)【要約】【課題】均一な印刷密度で印刷され、モアレを発生とともに現出する複数種類の潜像を含む印刷物を提供する。【解決手段】印刷物１には、平行線と、平行線と所定の角度をなすような他の平行線と、が形成されており、複数の平行線が形成された光透過性を有するフィルム２を重ねると、モアレが発生して像が現出する。印刷物１は、複数の線分の組み合わせからなる複数の基本パターンおよび各パターンにより構成されている。像が現出する領域の各パターンは、像が現出しない領域の基本パターンを構成する線分のうち現出する像に対応する線分を移動させたものである。【選択図】　　　　図１
2004025740.tif 000002
【特許請求の範囲】
【請求項１】
平行に配置された線または点と、該平行に配置された線または点と所定の角度をなすような他の平行に配置された線または点の組み合わせからなる領域により構成され、
前記平行に配置された線または点の配列に対して同一幅で該複数の平行に配置された線または点が形成された光透過性を有するフィルムを重ねることによって前記平行に配置された線または点の組み合わせからなる領域から像が現出するようにされた印刷物であって、
各々の前記平行に配置された線または点の位置をずらすことによって同一ヶ所に異なる像が現出するようにしたことを特徴とする印刷物。
【請求項２】
前記印刷物の前記平行に配置された線または点の配列に対して同一幅で該複数の平行に配置された線または点が形成された光透過性を有するフィルムを重ねることによって像が現出する領域は、
前記像が現出しない領域の線または点の位置に対して上下左右の何れかの方向に前記複数の平行に配置された線または点をずらすようにされていることを特徴とする請求項１記載の印刷物。
【請求項３】
前記印刷物に形成されている前記像が現出する領域と前記像が現出しない領域の面積は、その各々の領域の面積の割合が等しいことを特徴とする請求項１または２記載の印刷物。
【請求項４】
前記印刷物に形成されている前記像が現出する領域と前記像が現出しない領域は、
少なくとも前記平行に配置された線または点が多角形を構成するように配置されていることを特徴とする請求項１から３のいずれか１項に記載の印刷物。
【請求項５】
前記印刷物に形成されている前記平行に配置された線または点の幅（間隔）が０．２〜１．０ｍｍ、線の太さまたは点の大きさが０．０４〜０．１５ｍｍであることを特徴とする請求項１から４のいずれか１項に記載の印刷物。
【発明の詳細な説明】
【０００１】
【発明の属する技術分野】
本発明の印刷物に関し、特に、平行線からなる図形パターン上にフィルムを重ねることにより、モアレを発生させ、複写機による複写が困難な像を現出させるようにした印刷物に関する。
また、本発明を絵本等の印刷物に用いた場合には、例えば、同一の領域に同じ意味を持つ「平仮名」、「カタカナ」、「漢字」や「アルファベット」等を現出させることができることから、簡単な構成で学習効果の高い印刷物をも提供することができる。
【０００２】
【従来の技術】
複数の線または網点からなる一定の繰り返しパターンが設けられた光透過性を有するスクリーンを複数枚重ねると、「モアレ」と呼ばれる干渉縞が発生することが一般に知られている。そのモアレによる効果を利用したものの１つに、特開平１−１７１９７７号公報（以下、従来例１）が開示するところの印刷かくし文字の表示法があった。従来例１では、網点が印刷された網点部に、光透過性を有し、網点が印刷された網点透過体を当てることにより、モアレ干渉を発生させ、網点部に設けられたかくし文字を現出させていた。
【０００３】
また、特開昭６０−６４５号公報（以下、従来例２）が開示するところのモアレ効果を利用した暗証形成物では、点、線、または点線などにより形成されたパターン上に、適当な模様の施された可視化補助体を適当な位置および角度で重ねることにより、モアレを発生させ、上記のパターンに含まれる１つ以上の像を現出させていた。
【０００４】
また、実公昭４４−１８２１８号公報（以下、従来例３）が開示するところのスチール画から動作効果を生ぜしめる為の装置では、平行な線および空白部からなる複数個の線・空白部群が筋違いに設けられている静止スクリーン上に、平行な線および空白部が設けられている可動スクリーンを、各スクリーンの線および空白部が平行となるように取り付けていた。線および空白部に対して垂直方向に、可動スクリーンを動かすことにより、モアレによる移動陰影を発生させていた。
【０００５】
また、特公昭５０−１０４８５号公報（以下、従来例４）が開示するところの動画画像を形成する画像パターンでは、所定の複数種類のスクリーン角度による網点からなる固定パターン上に、所定のスクリーン角度の網点からなる可動パターンを重ね合わせ、移動させることにより、モアレを発生させ、固定パターンに動画像的効果を生じさせていた。
【０００６】
【発明が解決しようとする課題】
しかしながら、従来例３、４には、モアレを利用して万線により形成された図形に動画的効果を与える旨が記載されているが、万線により形成された図形にモアレにより現出する図形（像）を内含させる構成は記載されていなかった。
【０００７】
また、従来例１では、網点が印刷された印刷体に、上記の網点と異なる角度の網点により形成された「かくし文字」または「かくし図形」を内包させていたが、印刷体の同一領域上に複数種類の文字または図形などを発生させる構成が従来例１には記載されていなかった。
【０００８】
また、従来例２では、背景部分を構成する平行線と所定の角度をなす平行線による像を、背景部分と同一平面上に形成していた。２種の像を同一平面上に形成する場合には、その２種の像を構成する平行線のスクリーン角度を互いに異なるようにしていた。しかしながら、従来例２では、背景部分を構成する平行線と像を構成する平行線とが所定の角度をなすように設けられるため、モアレが発生しない場合においても、像が認識可能となってしまう可能性があった。さらに、従来例２では、２つの像が重なる平面上は、点または線などの印刷密度が高くなり、均一な印刷密度の印刷物を形成することが困難であった。
【０００９】
本発明は、上記問題点に鑑みてなされたものであり、均一な印刷密度で印刷され、同一個所に複数種類の像を含む印刷物を提供することを目的とする。
【００１０】
【課題を解決するための手段】
かかる目的を達成するため、請求項１記載の発明は、平行に配置された線または点と、該平行に配置された線または点と所定の角度をなすような他の平行に配置された線または点の組み合わせからなる領域により構成され、前記平行に配置された線または点の配列に対して同一幅で該複数の平行に配置された線または点が形成された光透過性を有するフィルムを重ねることによって前記平行に配置された線または点の組み合わせからなる領域から像が現出するようにされた印刷物であって、各々の前記平行に配置された線または点の位置をずらすことによって同一ヶ所に異なる像が現出するようにしたことを特徴とする。
【００１１】
また、請求項２記載の発明によれば、請求項１記載の印刷物において、前記印刷物の前記平行に配置された線または点の配列に対して同一幅で該複数の平行に配置された線または点が形成された光透過性を有するフィルムを重ねることによって像が現出する領域は、前記像が現出しない領域の線または点の位置に対して上下左右の何れかの方向に前記複数の平行に配置された線または点をずらすようにされていることを特徴とする。
【００１２】
また、請求項３記載の発明によれば、請求項１または２記載の印刷物において、前記印刷物に形成されている前記像が現出する領域と前記像が現出しない領域の面積は、その各々の領域の面積の割合が等しいことを特徴とする。
【００１３】
また、請求項４記載の発明によれば、請求項１から３のいずれか１項に記載の印刷物において、前記印刷物に形成されている前記像が現出する領域と前記像が現出しない領域は、少なくとも前記平行に配置された線または点が多角形を構成するように配置されていることを特徴とする。
【００１４】
また、請求項５記載の発明によれば、請求項１から４のいずれか１項に記載の印刷物において、前記印刷物に形成されている前記平行に配置された線または点の幅（間隔）が０．２〜１．０ｍｍ、線の太さまたは点の大きさが０．０４〜０．１５ｍｍであることを特徴とする。
【００１５】
【発明の実施の形態】
図１は、本発明の一実施形態における印刷物１を示す図である。以下、図１を用いて、本実施形態における印刷物の使用方法について説明する。
【００１６】
図１の（ａ）には、印刷物１と、フィルム２と、が示されている。印刷物１には、複数の平行な線（以下、「万線」と記述する。）が形成（印刷）されている。印刷物１上に形成される万線は、同じ幅であって、それぞれ互いに所定の角度をなすようにして複数形成されていてもよい。例えば、本実施形態では、図１の（ａ）に示されているように、互いに６０°をなすように交差する３種類の角度の万線が印刷物１上に形成されている。
【００１７】
フィルム２は、光透過性を有する媒体であって、透明／半透明のシート状の媒体であってもよいし、プレート状などの立体形成物であってもよい。フィルム２上には、所定の角度を有する印刷物１　と同じ間隔（幅）の１種類の万線が形成されている。
【００１８】
図１の（ｂ）は、印刷物１上に、光透過性を有するフィルム２を重ねたことを示す図である。図１の（ｂ）に示されているように、印刷物１上の万線とフィルム２の万線とが所定の角度をなすように、フィルム２を印刷物１上に重ねることにより、以下に示すように線または点を所定の文字、記号または図形などの像に対応するようにずらすことで、所定の文字、記号または図形などの像に対応するモアレが発生し、印刷物１に形成されている所定の文字、記号または図形などの像が現出する。（以下、上記のモアレにより現出する文字、記号、または図形などを「像」と記述する。）モアレが発生していない部分は、フィルム２を印刷物１上に重ねても肉眼では、単なる万線にしか見えない。
【００１９】
なお、印刷物１上の所定の角度の万線とフィルム２上の万線とがなす角度が合うように０°近傍に近づけた場合、即ち印刷物１上の所定の角度の万線とフィルム２上の万線とが互いに平行となるように近づけた場合、モアレが発生し、像が現出する。
【００２０】
図２、図３、および図４は、本発明の一実施形態における万線が形成された印刷物を示す図である。以下、図２、図３、図４を用いて、本実施形態における万線の形成領域について以下に説明する。
【００２１】
図２には、所定の領域の万線が形成された印刷物３が示されている。印刷物３の中央部分には、円形の像３ｉが形成されている。図２に示されているように、印刷物３における像３ｉを除く領域（以下、「バックグランド」と記述する。）に形成された万線と像３ｉに形成された万線とは、互いに平行となっている。また、バックグランドの万線と像３ｉの万線とは、万線の垂線方向において、形成位置が異なっている（形成位置にズレが生じている）。
【００２２】
なお、印刷物３の万線を形成する各線分の間隔は、バックグランドと像３ｉとの境界近傍を除いて等しいものとする。
【００２３】
また、図３には、所定の領域の万線が形成された印刷物４が示されている。なお、印刷物４における万線と印刷物３における万線とがなす角度は、６０°である。印刷物４の中央部分には、四角形状の像４ｉが形成されている。図３に示されているように、印刷物４におけるバックグランドに形成された万線と像４ｉに形成された万線とは、互いに平行である。また、バックグランドの万線と像４ｉの万線とは、万線の垂線方向において、形成位置が異なっている（形成位置にズレが生じている）。
【００２４】
なお、印刷物４の万線を形成する各線分の間隔は、バックグランドと像４ｉとの境界近傍を除いて等しいものとする。また、印刷物４におけるバックグランドと像４ｉとの境界近傍を除く万線を形成する各線分の間隔は、印刷物３におけるバックグランドと像３ｉとの境界近傍を除く万線を形成する各線分の間隔と等しいものとする。
【００２５】
また、図４には、所定の領域の万線が形成された印刷物５が示されている。なお、印刷物５における万線と印刷物３、４における万線とがなす角度は、それぞれ６０°である。印刷物５の中央部分には、三角形状の像５ｉが形成されている。図４に示されているように、印刷物５におけるバックグランドに形成された万線と像５ｉに形成された万線とは、互いに平行である。また、バックグランドの万線と像５ｉの万線とは、万線の垂線方向において、形成位置が異なっている（形成位置にズレが生じている）。
【００２６】
なお、印刷物５の万線を形成する各線分の間隔は、バックグランドと像５ｉとの境界近傍を除いて等しいものとする。また、印刷物５におけるバックグランドと像５ｉとの境界近傍を除く万線を形成する各線分の間隔は、印刷物３におけるバックグランドと像３ｉとの境界近傍を除く万線を形成する各線分の間隔と等しいものとする。
【００２７】
なお、図２、図３、および図４において、像３ｉ、４ｉ、５ｉの外周は点線により示されているが、説明の便宜のために示したものであって、実際に点線は存在しない。また、印刷物３、４、５上に形成される像３ｉ、４ｉ、５ｉは、図により示されるものに限定されず、他の文字、記号または図形であってもよい。
【００２８】
印刷物１上には、各像３ｉ、４ｉ、５ｉが設けられており、それらの各像は、印刷物３、４、５に形成されたものが合成されたものである。図１に示されるように、印刷物１の万線とフィルム２の万線とが所定の角度をなすように、印刷物１とフィルム２とを重ねて相対位置を変化させることにより、モアレが発生し、像３ｉ、４ｉ、５ｉが現出する。
【００２９】
このとき、印刷物１に形成されている万線を形成する各線分の間隔（幅）を０．２〜１．０ｍｍとし、線の太さを０．０４〜０．１５ｍｍとすることで、当該印刷物１を複写機にて複写した場合、その印刷物１中に形成された像を複写することは困難であり、また、その印刷物１をスキャナー等で読み取ったとしても、像の再現ができず、さらに、その印刷物１をスキャナー等で読み取った像を修正することも困難である。
【００３０】
各線分の間隔が０．２ｍｍ未満では、像を形成することが困難となり、１．０ｍｍ以上では、モアレにより現出する像が不鮮明となって見にくくなり、また、線の太さが０．０４ｍｍ未満の万線は、印刷により再現しにくく、０．１５ｍｍ以上では、同一領域に複数の像を同一の印刷濃度となるように形成することが困難となるという問題があった。
【００３１】
なお、印刷物１に形成されている万線を網点として形成した場合、各網点の間隔（幅）を０．２〜１．０ｍｍとし、網点の大きさ０．０４〜０．１５ｍｍとすることで、上述の印刷物１と同様の効果を得ることかできる。
【００３２】
図５は、本発明の一実施形態における印刷物１を形成する基本パターンを示す図である。また、図６は、本発明の一実施形態における印刷物１およびその像３ｉ、４ｉ、５ｉを示す図である。以下、図５および図６を用いて、本実施形態における印刷物１における万線の形成領域について説明する。
【００３３】
図５では、３種類の万線が互いに６０°をなすように交差し、印刷物１上には複数の正三角形状の図形が形成され、その正三角形を形成する線分の組み合わせを基本パターンとし、その基本パターンの一辺をずらすようにすることで、各パターンを形成している。
【００３４】
図５には、本実施形態における８種類の基本パターンＡ１と各パターンＡ２〜Ａ８が示されている。基本パターンＡ１は、像３ｉ、４ｉ、５ｉのいずれも生じない領域を構成するものである。
【００３５】
図２、図３、および図４を用いて説明したように、印刷物１において、像を形成する万線は、バックグランドを形成する万線と、その万線の垂線方向において形成位置が異なっている。
【００３６】
パターンＡ２は、像３ｉのみが現出する領域の万線を形成するパターンである。像が現出しない領域の万線を形成する基本パターンＡ１と比べて、パターンＡ２は、像３ｉを形成する万線に相当する線分の位置が三角形の内側（重心側）に移動している。なお、パターンＡ２における点線部分は、基本パターンＡ１における１本の線分の位置を示している。
【００３７】
パターンＡ３は、像４ｉのみが現出する領域の万線を形成するパターンである。基本パターンＡ１と比べて、パターンＡ３は、像４ｉを形成する万線に相当する１本の線分の位置が三角形の内側（重心側）に移動している。
【００３８】
パターンＡ４は、像５ｉのみが現出する領域の万線を形成するパターンである。基本パターンＡ１と比べて、パターンＡ４は、像５ｉを形成する万線に相当する１本の線分の位置が三角形の内側（重心側）に移動している。
【００３９】
パターンＡ５は、像３ｉ、４ｉが現出する領域の万線を形成するパターンである。基本パターンＡ１と比べて、パターンＡ５は、像３ｉ、４ｉを形成する万線に相当する２本の線分の位置が三角形の内側（重心側）に移動している。
【００４０】
パターンＡ６は、像３ｉ、５ｉが現出する領域の万線を形成するパターンである。基本パターンＡ１と比べて、パターンＡ６は、像３ｉ、５ｉを形成する万線に相当する２本の線分の位置が三角形の内側（重心側）に移動している。
【００４１】
パターンＡ７は、像４ｉ、５ｉが現出する領域の万線を形成するパターンである。基本パターンＡ１と比べて、パターンＡ７は、像４ｉ、５ｉを形成する万線に相当する２本の線分の位置が三角形の内側（重心側）に移動している。
【００４２】
パターンＡ８は、像３ｉ、４ｉ、５ｉが現出する領域の万線を形成するパターンである。基本パターンＡ１と比べて、パターンＡ８は、像３ｉ、４ｉ、５ｉを形成する万線に相当する３本の線分の位置が三角形の内側（重心側）に移動している。
【００４３】
なお、パターンＡ２〜Ａ８における点線部分は、基本パターンＡ１における線分の位置を示している。
【００４４】
また、基本パターンＡ１とパターンＡ２〜Ａ８において、線分により形成される領域の面積（印刷されている面積）の割合は互いに等しい。従って、基本パターンＡ１とパターンＡ２〜Ａ８を用いて印刷物１を構成することにより、均一の印刷密度を有する印刷物１を作成することが可能となる。
【００４５】
図６は、印刷物３、４、５を重ねて形成された印刷物１を示している。印刷物１の中央部分には、像３ｉ、４ｉ、５ｉが互いに重なって形成されている。なお、図６では、説明の便宜上、印刷物３、４、５上の万線は省略されている。
【００４６】
領域Ｆ１１は、像３ｉ、４ｉ、５ｉがいずれも現出しない領域であり、領域Ｆ１１における万線は、複数の基本パターンＡ１により形成されている。
【００４７】
また、領域Ｆ２１、Ｆ２２、Ｆ２３、Ｆ２４は、像３ｉが現出する領域であり、領域Ｆ２１、Ｆ２２、Ｆ２３、Ｆ２４における万線は、複数のパターンＡ２により形成されている。
【００４８】
また、領域Ｆ３１、Ｆ３２、Ｆ３３は、像４ｉが現出する領域であり、領域Ｆ３１、Ｆ３２、Ｆ３３における万線は、複数のパターンＡ３により形成されている。
【００４９】
また、領域Ｆ４１、Ｆ４２は、像５ｉが現出する領域であり、領域Ｆ４１、Ｆ４２における万線は、複数のパターンＡ４により形成されている。
【００５０】
また、領域Ｆ５１は、像３ｉおよび像４ｉが現出する領域であり、領域Ｆ５１における万線は、複数のパターンＡ５により形成されている。
【００５１】
また、領域Ｆ６１、Ｆ６２は、像３ｉおよび像５ｉが現出する領域であり、領域Ｆ６１、Ｆ６２における万線は、複数のパターンＡ６により形成されている。
【００５２】
また、領域Ｆ７１は、像４ｉおよび像５ｉが現出する領域であり、領域Ｆ７１における万線は、複数のパターンＡ７により形成されている。
【００５３】
また、領域Ｆ８１は、像３ｉ、像４ｉ、および像５ｉが現出する領域であり、領域Ｆ８１における万線は、複数のパターンＡ８により形成されている。
【００５４】
図７は、本発明の一実施形態における印刷物６を示す図である。印刷物６は、図５に示されている基本パターンＡ１と各パターンＡ２〜Ａ８から構成されている。印刷物６の中央部分には、図８に示す「Ａ」、「Ｂ」、および「Ｃ」の３種類の像が現出するように基本パターンＡ１と各パターンＡ２〜Ａ８を組み合わせたもので、図８の円で囲まれた領域７は、図９に示すように、基本パターンＡ１と各パターンＡ３、Ａ７から構成されている。
【００５５】
図９において、円で囲まれた領域７は、領域７ａと、領域７ｂと、領域７ｃと、からなる。領域７ａは、像が現出しない領域で基本パターンＡ１から構成されている。領域７ｂは、「Ｂ」の像が現出する領域でパターンＡ３から構成されている。領域７ｃは、「Ｂ」および「Ｃ」の像が現出する領域でパターンＡ７から構成されている。なお、例えば、図９に示されているように、「線の太さ」は、万線を形成する各線の太さにより示され、「平行線の幅（間隔）」は、万線を形成する平行線のうち、互いに隣り合う２本の平行線におけるそれぞれの太さ方向の中心間の距離により示されるものとする。また、線の太さは、０．０４ｍｍとしてもよく、平行線の幅は、０．２ｍｍとしてもよい。
【００５６】
図１０は、本発明の一実施形態における印刷物の作成方法を示すフローチャートである。以下、図１０に沿って、本実施形態における印刷物の作成方法について説明する。
【００５７】
まず、所定数の線分からなる基本パターンとパターンを作成する（ステップＳ１０１）。基本パターンとパターンを構成する線分の本数は、現出させる像の数以上とする。次に、像の形状および印刷媒体上に像を現出させる位置を決定する（ステップＳ１０２）。次に、印刷媒体上に該当する基本パターンとパターンを配置する（ステップＳ１０３）。以上のようにして、印刷物が作成される。
【００５８】
図１１は、本発明の一実施形態の変形例における基本パターンおよびパターンを示す図である。図１１に示されているような基本パターンＢ１、パターンＢ２〜Ｂ８を用いて、基本パターンＡ１、パターンＡ２〜Ａ８と同様に印刷物を形成してもよい。なお、基本パターンＡ１、パターンＡ２〜Ａ８では、線分の交差部分が空白領域（印刷されていない領域）となっているのに対し、基本パターンＢ１、パターンＢ２〜Ｂ８では、線分の交差部分が印刷領域となっているが、これは、印刷物の印刷濃度に合わせて、図５に示すように印刷物が暗くなるようであれば、各パターンの交差する部分を白抜きとすればよい。
【００５９】
また、図１２は、本発明の一実施形態の他の変形例における基本パターンおよびパターンを示す図である。図１２に示されているような線分が六角形を形成する基本パターンＣ１、パターンＣ２〜Ｃ７を用いて、印刷物を構成するとしてもよい。基本パターンＣ１は、印刷物上において像が現出しない領域を構成する基本パターンである。また、パターンＣ２〜Ｃ７は、基本パターンＣ１における６本の線分のうちの１本をそれぞれ平行に移動させたものである。パターンＣ２〜Ｃ７は、印刷物上で１つの像が現出する領域（２つ以上の像が重なっていない領域）を構成する。
【００６０】
なお、図１２では省略されているが、２つ以上の像が重なる領域については、重なる像の数だけ線分が平行に移動されたパターンを用いればよい。例えば、基本パターンＣ１および基本パターンＣ１の線分を平行に移動させた基本パターンを用いて、印刷物を構成する場合、４個の像が重なる領域は、基本パターンＣ１を形成する６本の線分のうち４本の線分を平行に移動させたパターンにより構成される。
【００６１】
また、図１２に示されているような基本パターンＤ１および基本パターンＤ１を形成する線分を平行に移動させたパターンを用いて、印刷物を構成するようにしてもよい。基本パターンＤ１は、８本の線分からなり、その８本の線分は、正八角形を形成する。図１２では、基本パターンＤ１の一辺の線分が平行に移動したパターンは示されていないが、基本パターンＤ１の一辺を形成する８本の線分のうち何れかの線分がそれぞれ平行に移動した基本パターンを用いて、印刷物を構成することが可能である。
【００６２】
本実施形態では、基本パターンおよび基本パターンの一辺をずらしたパターンからなる線分が三角形、六角形、および八角形を形成する場合について説明したが、他の多角形を用いてもよい。また、基本パターンおよび基本パターンの一辺をずらしたパターンからなる線分が形成されるものは、正多角形に限られないが、この場合には、印刷物上には、平行に配置された線または点の幅（間隔）が異なる場合があり、この場合には、それらの幅（間隔）に合わせ平行に配置された線または点を設けたフィルムが必要となる。
【００６３】
Ｎ本（Ｎは１以上の整数）の線分により形成される基本パターンを用いて構成された印刷物上における、Ｍ個の像が重なった領域のパターンは、像が設けられていない領域の基本パターンを形成するＮ本の線分のうちＭ本（Ｍは１以上Ｎ以下の整数）の線分を平行に移動させたパターンにより構成される。
【００６４】
また、像が設けられていない領域の基本パターン、およびその基本パターンを形成する線分を平行に移動させたパターンにおいて、各パターン自身が形成されている領域の面積に対する、基本パターンおよび各パターンにおける線分の形成領域の面積の割合は互いに等しい。従って、印刷物は、均一の印刷密度を有している。
【００６５】
また、本実施形態では、像を形成した領域において、基本パターンを形成する線分を、各パターンの線分より形成される図形（多角形）の内側（重心側）に平行に移動させたパターンを用いていたが、像の部分の線分は、基本パターンを形成する線分に比べて線分を外側（重心の反対方向）に平行に移動させるようにしてもよい。
【００６６】
また、モアレが発生した場合に現出する像は、本実施形態により示した図形に限らず、他の図形であってもよいし、任意の文字、図形または記号であってもよい。
【００６７】
なお、本発明の印刷物において、当該印刷物に形成されている像が現出する領域と像が現出しない領域のうち、像が現出しない領域の任意の位置に複写機により複写されない大きさの万線からなる潜像（例えば、特公昭５５−４５４００号公報、特公昭５８−４７７０８号公報、特開平４−１７０５６９号公報、実開昭６３−１７２６７３号公報等に記載されている。）を設け、同様に像が現出しない領域の任意の位置に複写機により複写されない大きさの網点からなる潜像（例えば、特公昭５５−４５４００号公報、特公昭５８−４７７０８号公報、特開平４−１７０５６９号公報、実開昭６３−１７２６７３号公報等に記載されている。）を設けるようにすることで、当該印刷物の複写機による偽造の痕跡を表すようにすることができる。
【００６８】
以上説明したように、本実施形態によれば、同一領域で複数の像を現出させるような、複雑な万線のパターンを形成する場合においても、予め設定された基本パターンとパターンを印刷物上の該当する領域に、それぞれ形成することにより、複雑な万線のパターンを容易に形成することが可能となる。また、印刷物上の各基本パターンおよびパターンの密度は均等となるため、フィルム２を印刷物上に重ねていない場合に、目視により像を認識することが困難となる。
【００６９】
また、本発明の印刷物によれば、当該印刷物を複写機などを用いて複写することによりを偽造を行ったとしても、複数の複雑な形状の像を再現することは困難である。従って、本発明の印刷物を商品券や株券等の有価証券に設けることで、有価証券の偽造を有効に防止することが可能である。
【００７０】
また、本発明の印刷物によれば、当該印刷物上に複数の像を設けた場合、印刷物上にフィルム２を重ねて相対的に移動させることにより、印刷物上の所定領域に複数の像を現出させることが可能である。その特徴を用いて、印刷物を、漢字または英単語などの学習用のテキストに利用することができる。例えば、フィルム２を所定の相対位置で印刷物に重ねた場合に「ねこ」の平仮名文字の像が現出し、フィルム２の相対位置を移動させると「ネコ」のカタカナの像または「ＣＡＴ」のアルファベットの像が現出するといったような物に利用することが可能である。
【００７１】
また、本発明の印刷物によれば、当該印刷物上の基本パターンおよびパターンは、万線が形成されていたが、万線に変えて網点を形成しても、本実施形態において説明した効果を実現することが可能である。
【００７２】
なお、上記の実施形態は本発明の好適な実施形態の一実施例であり、本発明は、これに限定されるものではなく、本発明の要旨を逸脱しない範囲において種々変形して実施することが可能となる。
【００７３】
また、本発明の印刷物において、当該印刷物に形成されている像が現出する領域と像が現出しない領域のうち、像が現出しない領域が平行に配置された線から構成されている領域の任意の位置に複写機により複写されない大きさの万線からなる潜像を設け、同様に像が現出しない領域が平行に配置された点から構成されている任意の位置に複写機により複写されない大きさの網点からなる潜像を設けるようにすることで、当該印刷物の複写機による偽造の痕跡を表すようにすることができる。
【００７４】
【発明の効果】
以上説明したように、本発明によれば、同一の領域に複数の像を現出させるようにしたにもかかわらず、該印刷物上の印刷密度はほぼ均等となるようにしているため、フィルムを印刷物上に重ねていない場合には、肉眼で像が認識することが困難であることから、偽造防止効果の高い有価証券を提供することができる。また、本発明の印刷物に形成されている線または点の幅（間隔）を０．２〜１．０ｍｍとし、線の太さまたは点の大きさを０．０４〜０．１５ｍｍとすることで、該印刷物を複写機にて複写した場合、その領域の複写が困難となる。
また、本発明の印刷物において、上述した段落番号００６７に記載されているように、該印刷物の像が現出する領域以外の領域に複写機により複写されない大きさの万線または網点からなる潜像を併設することで、複写機による複写の痕跡が明らかとなるようにすることで、より、複写防止効果の高い印刷物を提供することができる。
また、本発明の印刷物の他の用途として、偽造防止を施したものに適応する以外に、例えば、同一の領域に同じ意味を持つ「平仮名」、「カタカナ」、「漢字」や「アルファベット」等を現出させることができることから、簡単な構成で学習効果の高い印刷物を提供することができる。
【図面の簡単な説明】
【図１】（ａ）は、本発明の一実施形態における印刷物およびフィルムを示す図であり、（ｂ）は、本発明の一実施形態における印刷物にフィルムを重ねた状態を示す図である。
【図２】本発明の一実施形態における万線が形成された印刷物を示す第１の図である。
【図３】本発明の一実施形態における万線が形成された印刷物を示す第２の図である。
【図４】本発明の一実施形態における万線が形成された印刷物を示す第３の図である。
【図５】本発明の一実施形態における印刷物を形成する万線の基本パターンおよび各パ
ターンを示す図である。
【図６】本発明の一実施形態における３つの印刷物を重ねて形成された印刷物を示す図
である。
【図７】本発明の一実施形態における他の印刷物を示す図である。
【図８】図７中の像を示す図である。
【図９】図８の円で囲まれた領域７の拡大図である。
【図１０】本発明の一実施形態における印刷物の作成方法を示すフローチャートである。
【図１１】本発明の一実施形態の変形例における基本パターンおよび各パターンを示す図
である。
【図１２】本発明の一実施形態の他の変形例における基本パターンおよび各パターンを示す図である。
【符号の説明】
１、３〜６　印刷物
２　フィルム
３ｉ、４ｉ、５ｉ　像
７、７ａ、７ｂ、７ｃ、Ｆ１１、Ｆ２１〜Ｆ２４、Ｆ３１〜Ｆ３３、Ｆ４１、Ｆ４２、Ｆ５１、Ｆ６１、Ｆ６２、Ｆ７１　領域
Ａ１〜Ａ８、Ｂ１〜Ｂ８、Ｃ１〜Ｃ７、Ｄ１　基本パターンおよび各パターン
【図１】
2004025740.tif 000003
【図２】
2004025740.tif 000004
【図３】
2004025740.tif 000005
【図４】
2004025740.tif 000006
【図５】
2004025740.tif 000007
【図６】
2004025740.tif 000008
【図７】
2004025740.tif 000009
【図８】
2004025740.tif 000010
【図９】
2004025740.tif 000011
【図１０】
2004025740.tif 000012
【図１１】
2004025740.tif 000013
【図１２】
2004025740.tif 000014